(57)【要約】【課題】太陽エネルギーを利用し、且つ戸外の作業中または活動中にいつでも充電できて断電の虞れも電気機械の給電手段として始動する時、充電過小の可能性もない、太陽エネルギーによる給電装置を提供する。【解決手段】頭に被るための帽子体と、前記帽子体に取り付けられている上、頭の上から太陽エネルギーを吸収して電力に変換することができるように構成されている太陽エネルギー発電手段と、二次電池から、前記太陽エネルギー発電手段から電力を受けて充電され、且つ給電をすることができるように構成されている蓄電手段とを備えている。【選択図】図１
0003136594.tif 000002
【実用新案登録請求の範囲】
【請求項１】
頭に被るための帽子体と、
前記帽子体に取り付けられている上、頭の上から太陽エネルギーを吸収して電力に変換することができるように構成されている太陽エネルギー発電手段と、
二次電池から、前記太陽エネルギー発電手段から電力を受けて充電され、且つ給電をすることができるように構成されている蓄電手段とを備えていることを特徴とする、太陽エネルギーによる給電装置。
【請求項２】
前記蓄電手段は、他にケーシング体に内蔵されている上、導線により前記太陽エネルギー発電手段から電力を受けることができるように構成されていることを特徴とする請求項１に記載の太陽エネルギーによる給電装置。
【請求項３】
前記太陽エネルギー発電手段から電力を受けるための受電コネクターと、前記給電をするための給電コネクターと、該給電コネクターからの給電如何を切換えるスイッチ手段とが前記ケーシング体の外表面から突出するように設置されていることを特徴とする請求項２に記載の太陽エネルギーによる給電装置。
【請求項４】
前記帽子体はひさしのあるものからなっており、前記太陽エネルギー発電手段は太陽エネルギーパネルであって前記ひさしの外表面に敷設されていることを特徴とする請求項２に記載の太陽エネルギーによる給電装置。
【請求項５】
前記帽子体は硬質のものからなっており、前記太陽エネルギー発電手段は太陽エネルギーパネルであって前記帽子体の頂部近くに敷設されていることを特徴とする請求項２に記載の太陽エネルギーによる給電装置。
【請求項６】
前記ケーシング体の外表面に、また、前記蓄電手段の電圧値の低限を表示するための警報手段が設置されていることを特徴とする請求項３に記載の太陽エネルギーによる給電装置。
【考案の詳細な説明】
【技術分野】
【０００１】
本考案は、給電装置に関し、特に太陽エネルギーによる給電装置に関する。
【背景技術】
【０００２】
普通、戸外で作業または活動を行う時、携帯電話や、ＣＤプレーヤー、電動道具などの給電手段として電池を使用することが多い。また、前記電池の電力が切れる場合に備えて、通常、一次電池を多数個持つか、或いは再充電できる二次電池を使用する、図７に示すような別体の蓄電装置を給電手段として使う（特許文献１）。
【０００３】
しかしながら、一次電池を多数個持つ方式では、実際は、時々用意した電池が使い切れで断電になり、使用に不便である。
【０００４】
一方、図７に示すような別体の蓄電装置を使用する場合、再充電はできるとは言え、再充電に商用電源が要るため、家やオフィスに帰ってから始めて行えるので、一次電池のように高価な二次電池を他に予備に持たなければ、やはり断電の虞れがある。
【０００５】
ところで、現状では、太陽電池を利用する電気機械があるが、太陽電池は電気機械それ自体に載せられているので、電気機械を太陽エネルギーにより作動させようとする場合、電気機械全体をわざわざと収納場所から日光の下に取り出さなければならないので、電気機械の給電手段として始動する時に蓄電量が小であってミニ装置にしか使われていない。
【特許文献１】台湾特許第Ｍ２５５５７４号公報
【考案の開示】
【考案が解決しようとする課題】
【０００６】
前記問題に鑑みて、考案者は、太陽エネルギーを利用し、且つ戸外の作業中または活動中にいつでも充電できて断電の虞れも電気機械の給電手段として始動する時、充電過小の可能性もない、太陽エネルギーによる給電装置を提供しようとすることを目的とする。
【課題を解決するための手段】
【０００７】
前記目的を達成するために、本考案は、頭に被るための帽子体と、前記帽子体に取り付けられている上、頭の上から太陽エネルギーを吸収して電力に変換することができるように構成されている太陽エネルギー発電手段と、二次電池から、前記太陽エネルギー発電手段から電力を受けて充電され、且つ給電をすることができるように構成されている蓄電手段とを備えていることを特徴とする、太陽エネルギーによる給電装置を提供する。
【考案の効果】
【０００８】
前記構成の太陽エネルギーによる給電装置は、電気機械から軽便な別体となっており、且つその太陽エネルギー発電手段が帽子体に取り付けられているので、防暑のほか、戸外での作業中または活動中にいつでも充電されうるので、断電の虞れがなくて予備の二次電池や充電手段の用意が必要でない上、電気機械の給電手段として始動する時、充電過小の虞れもないので、使用に非常に便利である。
【考案を実施するための最良の形態】
【０００９】
以下、図面を参照しながら本考案にかかる太陽エネルギーによる給電装置の第１実施形態例を説明する。図１は、該実施形態例の概略構成を示す斜視図である。
【００１０】
図１に示すように、この太陽エネルギーによる給電装置は、主に帽子体１と、太陽エネルギー発電手段２と、蓄電手段３とを備えていている。
【００１１】
帽子体１は、頭に被るためのものであり、この例においてクラウン部１０とひさし部１１とからなっている。
太陽エネルギー発電手段２は、帽子体１に取り付けられている上、頭の上から太陽エネルギーを吸収して電力に変換することができるように構成されている。この例において、該太陽エネルギー発電手段２は、出力コネクター２１を有する太陽エネルギーパネル２０であってひさし部１１の外表面に敷設されている。
【００１２】
蓄電手段３は、図１と図２に示すように、帽子体１とは別体に、主として二次電池３０から、太陽エネルギー発電手段２から電力を受けて充電され、且つ給電をすることができるように構成されている。
【００１３】
詳細には、蓄電手段３は、３つの二次電池３０と、前記二次電池３０を出し入れ可能に内蔵する矩形のケーシング体３１と、それぞれケーシング体３１の外表面から突出するように設置されていて、太陽エネルギー発電手段２から電力を受けるための受電コネクター３２と、前記給電をするための給電コネクター３３と、該給電コネクター３３からの給電如何を切換えるＯＮ／ＯＦＦスイッチ手段３４とからなっている。
【００１４】
図３〜図６に示すように、太陽エネルギー発電手段２における出力コネクター２１と蓄電手段３における受電コネクターター３２との間の接続、及び蓄電手段３における給電コネクター３３と携帯電話など他の電子機器９との間の接続が用意されている導線３５、３６により行われる。
【００１５】
ケーシング体３１の外表面に、また、蓄電手段３の電圧値の低限を表示するための警報手段３７が設置されている。この警報手段３７は、蓄電手段３がこの低限以下になると点燈し、充電不足を表すが、この場合に充電されると、該低限を超えるだけでなく、満載に近い所定電圧値までに充電された後、始めて警報手段３７の点燈を消すように構成されている。この例において、警報手段３７としては、発光で報知するランプが使用されているが、例えばブザー及び振動機構が使用されてもよい。
【００１６】
図３と図４に示すように、この蓄電手段３は、帽子体１とは別体になっている軽薄なものであるので、ポケットに入れたり、腰につけたりすることができ、かなり便利である。
【００１７】
ちなみに、二次電池３０としては、この例においてリチウム電池が使用されているが、放電した後、充電することによって繰り返し使用することができれば、他にニッケル水素電池、ニッケルカドミウム電池、炭素水素電池などが使用されてもよい。
【００１８】
図５は、本考案にかかる太陽エネルギーによる給電装置の第２実施形態例の概略構成を示す斜視図である。この実施形態例の太陽エネルギーによる給電装置の構成は、ほぼ第１実施形態例と同じだが、その相違点は、太陽エネルギーパネル２０Ａは、帽子体１Ａの、ひさし部１１Ａではなく、クラウン部１０Ａの頂部近くに敷設されている。
【００１９】
図６は、本考案にかかる太陽エネルギーによる給電装置の第３実施形態例の概略構成を示す斜視図である。この実施形態例の太陽エネルギーによる給電装置の構成は、ほぼ第２実施形態例と同じだが、その相違点は、帽子体１Ｂは、ひさし部を有しない硬質なヘルメットであって、太陽エネルギーパネル２０Ｂがそのクラウン部１０Ｂの頂部近くに敷設されていることにある。
【００２０】
以上、本考案の好適な実施形態例について説明したが、本考案は前記実施形態例に限定して狭義に解釈されるものではなく、本考案の思想の範囲内において種々の変形や変更が可能である。
【産業上の利用可能性】
【００２１】
以上、実施形態例で詳細に説明したように、本考案の太陽エネルギーによる給電装置は、戸外の作業中または活動中にいつでも充電できて断電の虞れも電気機械の給電手段として始動する時、充電過小の可能性もない。
【図面の簡単な説明】
【００２２】
【図１】本考案にかかる太陽エネルギーによる給電装置の第１実施形態例の概略構成を示す斜視図である。
【図２】図１の太陽エネルギーによる給電装置における蓄電手段の拡大図である。
【図３】図１の太陽エネルギーによる給電装置を使用する時、その蓄電手段を身につける方式の一例を示す図である。
【図４】図１の太陽エネルギーによる給電装置を使用する時、その蓄電手段を身につける方式の他例を示す図である。
【図５】本考案にかかる太陽エネルギーによる給電装置の第２実施形態例の概略構成を示す斜視図である。
【図６】本考案にかかる太陽エネルギーによる給電装置の第３実施形態例の概略構成を示す斜視図である。
【符号の説明】
【００２３】
１、１Ａ、１Ｂ            帽子体
２、２Ａ、２Ｂ            太陽エネルギー発電手段
３                        蓄電手段
９                        電子機器
１０、１０Ａ、１０Ｂ      クラウン部
１１、１１Ａ              ひさし部
２０、２０Ａ、２０Ｂ      太陽エネルギーパネル
２１                      出力コネクター
３０                      二次電池
３１                      ケーシング体
３２                      受電コネクター
３３                      給電コネクター
３４                      ＯＮ／ＯＦＦスイッチ手段
３５、３６                導線
３７                      警報手段
【図１】
0003136594.tif 000003
【図２】
0003136594.tif 000004
【図３】
0003136594.tif 000005
【図４】
0003136594.tif 000006
【図５】
0003136594.tif 000007
【図６】
0003136594.tif 000008